(57)【要約】　【課題】　本発明は、遊技機の遊技領域の有効利用を図るために取り付ける照明装置を提供する。【解決手段】　本発明は、基盤２１上に透過性を有する印刷体２３を貼着し、障害釘等がない基盤２１の空間部に装着孔２５を穿設する。又、印刷体２３には装着孔２５に対応する位置に特殊図柄２３ａが印刷してあり、装着孔２５にレンズ体２８を基盤２１面と同じ面となるように嵌合装着し、レンズ体２８の裏面に照明基盤２９を取り付けて構成の照明装置を着脱自在に取付ける。【選択図】　　　　図３
2004024919.tif 000002
【特許請求の範囲】
【請求項１】
基盤上に透過性を有する印刷体を貼着し、障害釘等が植設してある遊技盤を備える遊技機であって、
　前記基盤の空間部に装着孔を穿設し、
　前記印刷体には装着孔に対応する位置に特別図柄が印刷してあり、
　前記装着孔に、レンズ体を基盤面と同じ面となるように嵌合装着し、
　前記レンズ体の裏面に照明基盤を取り付けて構成の照明装置を着脱自在に取付けることを特徴とする遊技機。
【請求項２】
レンズ体と照明基盤の距離を調整可能に形成することを特徴とする請求項１の遊技機。
【発明の詳細な説明】
【技術分野】
【０００１】
　本発明は、遊技機の遊技領域に取り付ける照明装置であり、特に、遊技領域の有効利用を図ることが可能な照明装置に関する。
【背景技術】
【０００２】
　遊技機（パチンコ機）には、大当たりが生起したとき、遊技を盛り上げるために多くの照明装置が配置してある。
　この照明装置は、遊技機の枠の他、遊技領域（遊技盤）に取り付けてあり、特に、遊技領域においては遊技球の邪魔にならないように、遊技領域の左右端にサイド装飾具として取り付けてあり、大当たり等の遊技状態に応じて、点灯、点滅表示するランプを備えて、遊技者を楽しませている。
【発明の開示】
【発明が解決しようとする課題】
【０００３】
　しかしながら、前記従来の遊技領域に配置する照明装置の照明では、華美に限界があり、新たな配置における照明装置が望まれている。
　そこで、遊技盤に孔を穿設すると共に、その表面にセルを貼着し、その孔に照明装置を臨ませる構成のもがある。しかし、この構成ではセルが破損したとき、遊技球がその孔に入って、遊技球の流下状態を替えるという課題がある。
　そこで、本発明は、かかる課題を解消する照明装置を提供するものである。
【課題を解決するための手段】
【０００４】
　請求項１の遊技機には、基盤上に透過性を有する印刷体を貼着し、障害釘等が植設してある遊技盤を備えていて、その障害釘等がない基盤の空間部に装着孔を穿設する。
　又、印刷体には装着孔に対応する位置に特別図柄が印刷してあり、前記装着孔にレンズ体を基盤面と同じ面となるように嵌合装着し、レンズ体の裏面にランプ基盤を取り付けて構成の照明装置を着脱自在に取付けてある。
　そのため、空間部においては、遊技球の動向に邪魔にならず、且つ、照明装置を設けることができて、有効利用を図ることができる。
　又、請求項２の遊技機は、レンズ体と照明基盤の距離を調整可能に形成してあるので、レンズ体の焦点距離と異なる位置にレンズ体を設置可能となり、異なる表示態様を選定することができる。
【発明の効果】
【０００５】
　請求項１の遊技機には、空間部に、遊技球の動向に邪魔にならないように照明装置が取り付けてあるので、空間部の有効利用を図ることができると共に、装飾効果の向上を図ることができる。
　又、請求項２の遊技機は、レンズ体と照明基盤の距離を調整可能に形成してあるので、レンズ体の焦点距離と異なる位置にレンズ体を設置可能となり、特別図柄の異なる表示態様を選定することができる。
【発明を実施するための最良の形態】
【０００６】
（第１の実施の形態）
　本発明の実施の形態を図面を参照して説明する。図１は遊技機としてのパチンコ機の遊技盤２０の正面図、図２は遊技盤の裏面図、図３は照明装置を遊技盤に取り付ける構成部品図である。
【０００７】
　遊技盤２０は、略正方形の木製の基盤２１と、この基盤２１の表面に貼着の台紙２２（必ずしも必要でない）、透過性の材質に特別図柄２３ａを含む図柄が印刷してある印刷体２３と、その印刷体２３の摩耗防止を図る為に、印刷体２３の表面に貼着する透明フィルム２４で構成してある。尚、印刷体２３と透明フィルム２４、又は台紙２２を含めてセルという。
　この遊技盤２０の周縁部には、外ガイドレール１４ａと内ガイドレール１４ｂが設けてあり、遊技領域１９を形成する。即ち、発射装置のハンドル（図示略）の操作により供給皿（図示略）からの１球毎に供給される遊技球は、外ガイドレール１４ａと内ガイドレール１４ｂに案内されて遊技領域１９に到る。
【０００８】
　又、遊技領域１９のほぼ中央部には、大型の図柄表示器Ｌが設置してあり、その下にはチューリップ式の始動電動役物７で構成の始動口（入賞領域）７ａが設けてあり、この始動口７ａに入賞すると、可変表示ゲームを開始する。
　又、遊技領域１９の頂部には、障害釘８が水平上に配置してあり、その上部には障害釘８がない空間部９が形成してある。
【０００９】
　又、図柄表示器Ｌの左右側部には、普通図柄始動ゲート１３ａ、１３ｂが備えてあり、遊技球が通過すると、後述の大入賞器１８の右側部に設置の普通図柄表示器６の図柄が変動を開始し、所定時間経過後に停止し、その普通図柄が予め設定した図柄と一致したとき「当たり」となり、所謂、チューリップ式の始動電動役物７を所定時間、開成し、遊技球が入賞すると、前記始動口（入賞領域）７ａへの入賞と同様に可変表示ゲームを開始する。尚、この始動電動役物７のチューリップが閉成時には遊技球の入賞は困難である。
　又、図柄表示器Ｌの下部には、図柄表示器Ｌの左右側部から入った遊技球が、図柄表示器Ｌのステージ上を転動して、誘導器４を介して誘導釘８ａの間に落下して、始動口７ａに入賞し易くなるように構成してある。
【００１０】
　前記図柄表示器Ｌは、ほぼ四角の本体枠の中央に、複数の変動図柄を介して可変表示ゲーム等を行う液晶の表示画面Ｇが取り付けてある。
　この表示画面Ｇには、種々の情報が表示がされる他、遊技球が前記始動口７ａに入賞すると、図柄変動信号を発して可変表示ゲームが開始され、大当たり、外れ等に対応して、第１図柄表示部Ｌ１、第３図柄表示部Ｌ３、第２図柄表示部Ｌ２に図柄「０〜９」（１０種類）の図柄が表示される。
【００１１】
　そして、大当たり（特別遊技状態）のときには、第１図柄表示部Ｌ１、第３図柄表示部Ｌ３、第２図柄表示部Ｌ２には、図柄「０、０、０」〜「９、９、９」の１０通りの同じ図柄（大当たり図柄）を確定表示した後に、大当たり（特別遊技状態）として、大入賞器１８の扉１８ａが所定時間、開成して多量の賞品球の払い出しを可能とする。
【００１２】
　前記遊技領域１９の中央部より下部にいて、サイド装飾具５０、５０が左右側部の内ガイドレール１４ｂ（遊技領域１９のサイド）に取り付けてある。
　そして、このサイド装飾具５０、５０は、内ガイドレール１４ｂの形状に合わせて、薄板の弓状で、遊技球を下方に流下可能な２個の案内部５２（５２ａ、５２ｂ）が、正面視三角形で階段状に形成してある。
　尚、この案内部５２の幅、長さ及び取付け傾斜角度や設置個数等は、その前面に植設の障害釘５３の位置や球受部への入賞確率等を考慮して適宜選定する。
【００１３】
　又、サイド装飾具５０、５０の上面には、ランプを内蔵の３個の上装飾体５５（５５ａ（青色）、５５ｂ（緑色）、５５ｃ（黄色））が、装脱着可能に形成してあると共に、その下部には、２個の下装飾体５９（５９ａ（橙色）、５９ｂ（赤色））が、その上を遊技球が通過可能な高さに、薄板のレンズを介して形成してある。そのため、遊技領域１９に発射され、左サイド付近の遊技球は、左サイド装飾具５０の案内部５２ｂから案内部５２ｃを経て、遊技領域１９の中央部に向かったり、入賞口７５に導かれたり、下装飾体５９（５９ａ、５９ｂ）の上を流下する。
【００１４】
　この様に、このサイド装飾具５０を設置することにより、従来にない、遊技球の流下態様を奏することができ、障害体としての機能も果たすことができる。
　尚、前記ランプにおいて、上装飾体５５（５５ａ、５５ｂ、５５ｃ）、下装飾体５９（５９ａ、５９ｂ）の色彩と同色のＬＥＤを使用すると、より鮮明な色彩を放つ装飾具となる。
【００１５】
　又、特に、大型の図柄表示器Ｌを遊技領域１９のほぼ中央に設置したときには、遊技球の多くは、狭い図柄表示器Ｌの両サイドを流下して始動口（入賞領域）７ａに入賞し難いので、入賞口７５を付設のサイド装飾具５０を設置することは有意義である。
　又、この入賞口７５に入賞したときには、賞品球数を他の入賞口７６に比して多くしたり等、差別化することによって、このサイド装飾具５０の存在意義があるように構成できる。
【００１６】
　次に、遊技領域１９の上部に形成の空間部９に、照明装置を取り付けて有効利用を図ることについて、図２、図３を参照して説明する。尚、図３（Ａ）は構成部品図、図３（Ｂ）はレンズ体２８と照明基盤２９の拡大図である。
　遊技盤２０には、空間部９に対応し、且つ、後述の図柄等の印刷の大きさに対応する装着孔２５が穿設してある。
　又、透過性を有する樹脂フィルム等で製作の印刷体２３には、前記装着孔２５に対応する位置に特別図柄（ここでは「ＤＥＮ」の文字）２３ａが印刷してあると共に、この印刷体２３に貼着の台紙２２にも、前記装着孔２５に対応して通孔２２ａが形成してある。
　尚、印刷体２３には、前記特別図柄２３ａの他に、遊技機に関する図柄が印刷してあり、この印刷体２３が透過性を有する必要がある箇所は、少なくとも特別図柄２３ａを描く箇所である。
【００１７】
　尚、この台紙２２は必ずしも必要でなく、印刷体２３を、直接、基盤２１に貼着して構成してもよい。
　また、この台紙２２として透明フィルム等を使用する場合には、必ずしも通孔２２ａを穿設する必要がないが、光の透過性が悪くなるので、通孔２２ａを穿設するのが望ましい。又、この空間部９は、遊技者が最も見やすい位置であるので、特別図柄２３ａとして、機種名を選択すると、遊技機の機種名を容易に記憶する利点がある。
　そして、前記基盤２１の上面には、台紙２２（必ずしも必要でない）、その上に印刷体２３を貼着し、更に、その上に透明フィルム２４を貼着して構成し、遊技球が、直接、印刷体２３に触れないようになっていて、遊技球が印刷体２３に接触して、特別図柄２３ａを含めた図柄等が消えることを防止している。
【００１８】
　又、前記装着孔２５には、レンズ体２８の裏面に照明基盤２９を取り付けて構成の照明装置が着脱自在に取り付けてある。
　レンズ体２８は、合成樹脂で、平坦な拡散又は集光レンズ（ダイヤカット等や、フレネルレンズ等）２８ａの両端部には弾性作用をなすように、僅かにレンズ２８ａより幅広で、且つ、ほぼ基盤と同じ厚みとなる長さに、Ｌ字状に形成の挿入体２８ｂと底部２８ｄが一体に形成してある。又、この底部２８ｄには、後述する、レンズ体２８を固定するビス孔２８ｃが穿設してある。
【００１９】
　そして、この挿入体２８ｂを前記挿着孔２５に装着すると、少し狭めた状態で装着された挿入体２８ｂが拡開して嵌合装着し、レンズ２８ａは基盤２１の表面と同一面になって、前記レンズ２８ａは印刷体２３に密着する。
　この様に、レンズ体２８は、挿入体２８ｂの弾性作用によって、簡便に、挿着孔２５に対して装脱着可能である。
【００２０】
　又、照明基盤２９には複数のランプ２９ａ（ＬＥＤ等）が配置してあり、この照明基盤２９は両側の底部２８ｄ、２８ｄの長さに合わせた大きさであると共に、前記ビス孔２８ｃに対応して固定孔２９ｂが穿設してある。
　尚、これらのランプ２９ａは、遊技内容に従って、例えば、大当たりが生起したとき等において、点滅等をして、遊技内容を盛り上げる。又、照明基盤２９上（ランプを除く箇所）には、白色等の反射色が塗布してあり、ランプの反射を助ける。
　そして、ビス３０を前記固定孔２９ｂからビス孔２８ｃに挿通して、基盤２１の裏面にねじ込むことによって、照明基盤２９は、レンズ体２８と共に基盤２１に固定される（図２）。
　従って、照明基盤２９は、レンズ２８ａを通して、前記印刷体２３に印刷の特別図柄２３ａを照光し、透明フィルム２４を通して特別図柄２３ａを見ることができる。
【００２１】
　尚、照明基盤２９は、レンズ体２８の底部２８ｄに、ビス３０を介して固定する構成であるが、弾性作用が有る合成樹脂等で製作のレンズ体２８の両側に差込溝（図示略）を設け、この差込溝に照明基盤２９を挿入することによって、弾性作用で照明基盤２９を固定してもよい。従って、この構成はビスを介することなく、簡便に、照明基盤２９の装脱着できる。
【００２２】
　以上のように、遊技領域１９の障害釘が植設されていない空間部９においては、遊技盤２０の上面に貼着の透明フィルム２４によって、遊技球が邪魔されることなく動くことを可能にし、もし、この透明フィルム２４と印刷体２３が何等かによって破損しても、装着孔２５に装着のレンズ体２８によって、遊技球が装着孔２５に停留することがない。
　尚、レンズ体２８に遊技球が当たることを想定し、傷がつき難くするために、レンズ体２８の表面に透明の樹脂コーティングを施工しておくことは有効である。又、印刷体２３の表面に、透明フィルム２４に替えて、摩耗防止用に透明の樹脂コーティングを施工することであってもよい。
【００２３】
（第２の実施の形態）
　次に、レンズ体２８に対し、異なる位置に照明基盤２９を設置可能とする構造について、図４、図５を参照して説明する。
　先ず、図４に示す構成について説明する。尚、図４（Ａ）は構成部品図、図４（Ｂ）はレンズ体２８と照明基盤２９の拡大図であり、前記第１の実施の形態と同じ部品には同じ符号を付して説明を略す。
【００２４】
　レンズ体２８のＬ字状の挿入体２８ｂの内側には、照明基盤２９を挿入可能な装着溝３６が複数個、形成してある。尚、この装着溝３６には、後述するビス３０ａで、照明基盤２９にレンズ体２８を固定するための貫通孔（図示略）が形成してある。
　そして、照明基盤２９は、図柄等の全体を表示する場合や、特別図柄２３ａだけの狭い範囲に集中して照光する場合等の目的を考慮して、何れかの装着溝３６に装着し、この状態で、ビス３０ａを固定孔２９ｂ、貫通孔（図示略）に挿通して、レンズ体２８に両端の裏側に形成の基台２８ｅにねじ込む。この作業によって、照明基盤２９はレンズ体２８に固定される。
　次に、レンズ体２８の挿入体２８ｂを前記挿着孔２５に装着し、ビス３０をビス孔２８ｃに挿通して、基盤２１の裏面にねじ込むことによって、照明基盤２９は、レンズ体２８と共に基盤２１に固定される。
【００２５】
　次に、図５に示す構成について説明する。尚、図５（Ａ）は構成部品図、図５（Ｂ）はレンズ体２８と照明基盤２９の拡大図であり、前記図４に示す構造と同じ部品には同じ符号を付して説明を略す。
　この図５に示す構造は、弾性作用を有するゴム等で直方体状に製作のスペーサー４０を介して、装着溝３６に照明基盤２９を取り付けるものである。
　このスペーサー４０の端部には、前記凹凸状の装着溝３６に嵌合可能な凹部４０ａを形成してある。尚、このスペーサー４０の厚みは、照明基盤２９が装着する装着溝３６と、基台２８ｅとの隙間を埋める厚みのものを選択し、このスペーサー４０によって、照明基盤２９を安定して固定できる。
【００２６】
　照明基盤２９とレンズ体２８を基盤２１に取り付けるには、先ず、適宜の厚みのスペーサー４０を選択して、スペーサー４０を装着溝３６に取り付ける。次に、照明基盤２９を選択した装着溝３６に挿入すると、照明基盤２９と基台２８ｅの隙間を生ずることなく装着できる。
　次に、前記図４の構造と同様に、ビス３０ａを固定孔２９ｂ、貫通孔（図示略）に挿通して、レンズ体２８の基台２８ｅにねじ込む。そして、レンズ体２８の挿入体２８ｂを前記挿着孔２５に装着し、ビス３０をビス孔２８ｃに挿通して、基盤２１の裏面にねじ込むことによって、照明基盤２９は、レンズ体２８と共に基盤２１に固定される。
　この固定された照明基盤２９は、スペーサー４０によって、レンズ体２８に密着状態で固定され、震動防止を図っている。
【００２７】
　この第２の実施の形態においては、照明基盤２９は特別図柄２３ａの全体を表示する場合や、特別図柄２３ａだけの狭い範囲に集中して照光する場合の目的を考慮して、何れかの装着溝３６に装着可能であるので、その装着位置によって、レンズ２８ａを介して、特別図柄２３ａを種々の表示態様に選定できる。
　尚、前記照明基盤２９はレンズ体２８にビスで固定する構成であるが、例えば、合成樹脂の弾性作用を利用し、装着溝３６に凹部（又は凸部）を形成し、照明基盤２９にその凹部（又は凸部）に係止する凸部（又は凹部）を形成する等、他の構成で固定してもよい。
【００２８】
　以上のように、障害釘が植設していない遊技領域１９の空間部（図１に示す空間部９と異なる位置であってもよい）において、印刷体２３の特別図柄２３ａがランプ２９ａの照光によって映し出され、遊技領域１９の有効利用を図ることができ、遊技盤２０の装飾効果の向上を図ることができる。
　尚、照明基盤２９とレンズ体２８は別体で構成することなく、一体で構成してもよい。
【図面の簡単な説明】
【００２９】
【図１】遊技機（パチンコ機）の遊技盤の正面図である。
【図２】遊技盤の裏面図である。
【図３】第１の実施の形態における、（Ａ）は遊技盤に照明装置を取り付ける構成部品図、（Ｂ）は照明装置の拡大図である。
【図４】第２の実施の形態における、（Ａ）は遊技盤に照明装置を取り付ける構成部品図、（Ｂ）はレンズ体と照明基盤（照明装置）の拡大図である。
【図５】第２の実施の形態における他の構成で、（Ａ）は遊技盤に照明装置を取り付ける構成部品図、（Ｂ）はレンズ体と照明基盤（照明装置）の拡大図である。
【符号の説明】
【００３０】
　９　空間部
１９　遊技領域
２０　遊技盤
２１　基盤
２２　台紙
２２ａ　通孔
２３　印刷体
２３ａ　特別図柄
２５　装着孔
２８　レンズ体
２８ａ　レンズ
２８ｅ　基台
２９　照明基盤
２９ａ　ランプ
３６　装着溝
４０　スペーサー
４０ａ　凹部
【図１】
2004024919.tif 000003
【図２】
2004024919.tif 000004
【図３】
2004024919.tif 000005
【図４】
2004024919.tif 000006
【図５】
2004024919.tif 000007
【手続補正書】
【提出日】平成15年10月20日(2003.10.20)
【手続補正１】
【補正対象書類名】特許請求の範囲
【補正対象項目名】全文
【補正方法】変更
【補正の内容】
【特許請求の範囲】
【請求項１】
印刷体を貼着した基盤上に障害釘等が植設してある遊技盤を備える遊技機であって、
　前記基盤における遊技領域の上部に位置する空間部に装着孔を穿設し、
　基盤表面と同じ面となるようにレンズ体を前記装着孔に嵌合装着し、
　前記レンズ体の裏面に照明基盤を取り付けて構成の照明装置を着脱自在に取付けることを特徴とする遊技機。
【請求項２】
前記印刷体は透過性を有し、特別図柄が前記印刷体の前記装着孔に対応する位置に印刷してあることを特徴とする請求項１の遊技機。
【請求項３】
レンズ体と照明基盤の距離を調整可能に形成することを特徴とする請求項１又は請求項２の遊技機。
【手続補正２】
【補正対象書類名】明細書
【補正対象項目名】０００４
【補正方法】変更
【補正の内容】
【０００４】
　請求項１の遊技機には、印刷体を貼着した基盤上に障害釘等が植設してある遊技盤を備えている。そして、基盤における遊技領域の上部に位置する空間部に装着孔を穿設してあり、この装着孔にレンズ体は基盤表面と同じ面となるように嵌合装着してある。又、レンズ体の裏面に照明基盤を取り付けて構成の照明装置は着脱自在に取付けてある。
　そのため、空間部においては、遊技球の動向に邪魔にならず、且つ、照明装置を設けることができて、有効利用を図ることができる。
　又、請求項２の遊技機には印刷体を備えていて、この透過性を有する印刷体には装着孔に対応する位置に特別図柄が印刷可能であるので、特別図柄を印刷で容易に変更できる。
　請求項３の遊技機は、レンズ体と照明基盤の距離を調整可能に形成してあるので、レンズ体の焦点距離と異なる位置にレンズ体を設置可能となり、異なる表示態様を選定することができる。
【手続補正３】
【補正対象書類名】明細書
【補正対象項目名】０００５
【補正方法】変更
【補正の内容】
【０００５】
　請求項１の遊技機には、空間部において、遊技球の動向に邪魔にならず、且つ、照明装置を設けることができて、有効利用を図ることができる。
　又、請求項２の遊技機は、特別図柄を印刷で容易に変更できる。
　請求項３の遊技機は、レンズ体と照明基盤の距離を調整可能に形成してあるので、レンズ体の焦点距離と異なる位置にレンズ体を設置可能となり、異なる表示態様を選定することができる。